(57)【特許請求の範囲】
【請求項１】
車体の前部に設けられて上下方向に回動可能なリフトアームを有するフロント作業機を備えたホイールローダであって、
エンジンと、
前記エンジンにより駆動される可変容量型の走行用油圧ポンプと、
前記走行用油圧ポンプと接続されて、前記エンジンの駆動力を車輪に伝達する可変容量型の走行用油圧モータと、
前記エンジンにより駆動され、前記フロント作業機に作動油を供給する作業機用油圧ポンプと、
前記車体の走行状態を検出する走行状態検出器と、
前記作業機用油圧ポンプの吐出圧を検出する圧力検出器と、
前記走行用油圧ポンプ及び前記走行用油圧モータを制御するコントローラと、を備え、
前記コントローラは、
前記走行状態検出器で検出された走行状態、及び前記圧力検出器で検出された吐出圧に基づいて、前記車体の前進走行中における前記リフトアームの上方向への動作を特定する特定条件を満たすか否かを判定し、
前記特定条件を満たす場合に、前記作業機用油圧ポンプの吐出圧の増加又は前記作業機用油圧ポンプの入力トルクの増加に応じて、前記走行用油圧ポンプの押し退け容積又は前記走行用油圧モータの押し退け容積を制御して車速を制限する
ことを特徴とするホイールローダ。
【請求項２】
請求項１に記載のホイールローダであって、
前記コントローラは、前記作業機用油圧ポンプの吐出圧又は前記作業機用油圧ポンプの入力トルクが増加するにつれて、前記走行用油圧モータの最小押し退け容積を大きくして車速を制限する
ことを特徴とするホイールローダ。
【請求項３】
請求項２に記載のホイールローダであって、
前記コントローラは、
前記リフトアームの上げ操作開始時から前記リフトアームが水平姿勢をとるまでの間、前記作業機用油圧ポンプの吐出圧又は前記作業機用油圧ポンプの入力トルクが増加するにつれて、前記走行用油圧モータの最小押し退け容積の増加分が所定の値になるまで大きくなるように前記走行用油圧モータを制御し、
前記リフトアームの水平姿勢時から前記リフトアームが上方向に上がりきるまでの間、前記作業機用油圧ポンプの吐出圧の増加又は前記作業機用油圧ポンプの入力トルクの増加に関係なく、前記走行用油圧モータの最小押し退け容積の増加分が前記所定の値に維持されるように前記走行用油圧モータを制御する
ことを特徴とするホイールローダ。
【請求項４】
請求項１に記載のホイールローダであって、
前記コントローラは、前記作業機用油圧ポンプの吐出圧又は前記作業機用油圧ポンプの入力トルクが増加するにつれて、前記走行用油圧ポンプの最大押し退け容積を小さくして車速を制限する
ことを特徴とするホイールローダ。
【請求項５】
請求項４に記載のホイールローダであって、
前記コントローラは、
前記リフトアームの上げ操作開始時から前記リフトアームが水平姿勢をとるまでの間、前記作業機用油圧ポンプの吐出圧又は前記作業機用油圧ポンプの入力トルクが増加するにつれて、前記走行用油圧ポンプの最大押し退け容積の減少分が所定の値になるまで大きくなるように前記走行用油圧ポンプを制御し、
前記リフトアームの水平姿勢時から上方向に上がりきるまでの間、前記作業機用油圧ポンプの吐出圧の増加又は前記作業機用油圧ポンプの入力トルクの増加に関係なく、前記走行用油圧ポンプの最大押し退け容積の減少分が前記所定の値に維持されるように前記走行用油圧ポンプを制御する
ことを特徴とするホイールローダ。
【請求項６】
請求項１に記載のホイールローダであって、
前記コントローラは、積込作業においてダンプトラックに向かって走行する際に選択される低速度段の場合に限り、前記走行用油圧ポンプの押し退け容積又は前記走行用油圧モータの押し退け容積を制御して車速を制限する
ことを特徴とするホイールローダ。
【請求項７】
請求項１に記載のホイールローダであって、
前記作業機用油圧ポンプの吐出圧又は前記作業機用油圧ポンプの入力トルクに対する、前記走行用油圧ポンプの押し退け容積の変化率又は前記走行用油圧モータの押し退け容積の変化率を調整する調整装置をさらに備え、
前記コントローラは、前記調整装置で設定された変化率にしたがって、前記走行用油圧ポンプの押し退け容積又は前記走行用油圧モータの押し退け容積を制御して車速を制限する
ことを特徴とするホイールローダ。
【請求項８】
車体の前部に設けられて上下方向に回動可能なリフトアームを有するフロント作業機を備えたホイールローダであって、
エンジンと、
前記エンジンにより駆動される発電機と、
前記発電機に接続されて、前記エンジンの駆動力を車輪に伝達する電動モータと、
前記エンジンにより駆動され、前記フロント作業機に圧油を供給する作業機用油圧ポンプと、
前記車体の走行状態を検出する走行状態検出器と、
前記作業機用油圧ポンプの吐出圧を検出する圧力検出器と、
前記電動モータを制御するコントローラと、を備え、
前記コントローラは、
前記走行状態検出器で検出された走行状態、及び前記圧力検出器で検出された吐出圧に基づいて、前記車体の前進走行中における前記リフトアームの上方向への動作を特定する特定条件を満たすか否かを判定し、
前記特定条件を満たす場合に、前記作業機用油圧ポンプの吐出圧又は前記作業機用油圧ポンプの入力トルクが増加するにつれて、前記電動モータの回転数を減少させて車速を制限する
ことを特徴とするホイールローダ。
【発明の詳細な説明】
【技術分野】
【０００１】
本発明は、無段変速式の走行駆動システムを搭載したホイールローダに関する。
【背景技術】
【０００２】
無段変速式の走行駆動システムとして、例えば、エンジンで油圧ポンプを駆動させることによって発生した油圧を油圧モータで回転力に変換するＨＳＴ式若しくはＨＭＴ式、及びエンジンで発電機を駆動させることによって発生した電力を電動モータで回転力に変換するＥＭＴ式等が知られている。【０００３】
例えば特許文献１では、上下方向に回動可能なリフトアームを含む作業装置と、エンジンによって駆動される可変容量型のＨＳＴポンプ、及びＨＳＴポンプから吐出される圧油により駆動されるＨＳＴモータを含む油圧閉回路と、エンジンによって駆動され、作業装置を作動させる圧油を吐出する作業機ポンプと、を備えたホイールローダが開示されている。【０００４】
このホイールローダは、作業モードとして、重掘削に対応したパワーモード、及びパワーモードよりもエンジン回転数を抑えて燃費を低減させるエコモードのいずれかを選択することが可能である。作業モードとしてエコモードが選択されている場合に、リフトアームシリンダのボトム圧を検出することによってリフトアームの上げ動作が検出されると、走行駆動システムは、エンジン回転数をエコモード時よりも増加させる。これにより、エコモードにて動作している時であっても、リフトアームの上げ動作速度が低下しづらくなり、ホイールローダの作業効率を向上させている。
【先行技術文献】
【特許文献】
【０００５】
【特許文献１】特開２０１５−９４０７０号公報
【発明の概要】
【発明が解決しようとする課題】
【０００６】
しかしながら、特許文献１に記載のホイールローダでは、リフトアームシリンダのボトム圧を用いてリフトアームの上げ動作の有無を判定しているため、例えば、リフトアームの上げ操作を行っていない場合（操作レバーが中立状態）であっても、バケット内に荷があるとリフトアームシリンダのボトム圧が高くなってしまい、リフトアームの上げ操作を行っていると誤判定する可能性がある。また、ホイールローダが露天掘り鉱山等において凹凸路面を走行する際には、車体に振動が発生してリフトアームシリンダのボトム圧が変化しやすくなるため、この場合においても、リフトアームの上げ操作を行っていると誤判定しやすくなる。【０００７】
このように、オペレータが意図してリフトアームの上げ操作を行っていない状況下においても、リフトアームの上げ操作の誤判定によりエンジン回転数が増加することで車速が急に変化してしまい、車体やオペレータに対して振動や衝撃をさらに与えてしまう可能性がある。【０００８】
そこで、本発明の目的は、リフトアームの上げ操作の誤判定に伴う車速の急な変化を抑制することが可能なホイールローダを提供することにある。
【課題を解決するための手段】
【０００９】
上記の目的を達成するために、本発明は、車体の前部に設けられて上下方向に回動可能なリフトアームを有するフロント作業機を備えたホイールローダであって、エンジンと、前記エンジンにより駆動される可変容量型の走行用油圧ポンプと、前記走行用油圧ポンプと接続されて、前記エンジンの駆動力を車輪に伝達する可変容量型の走行用油圧モータと、前記エンジンにより駆動され、前記フロント作業機に作動油を供給する作業機用油圧ポンプと、前記車体の走行状態を検出する走行状態検出器と、前記作業機用油圧ポンプの吐出圧を検出する圧力検出器と、前記走行用油圧ポンプ及び前記走行用油圧モータを制御するコントローラと、を備え、前記コントローラは、前記走行状態検出器で検出された走行状態、及び前記圧力検出器で検出された吐出圧に基づいて、前記車体の前進走行中における前記リフトアームの上方向への動作を特定する特定条件を満たすか否かを判定し、前記特定条件を満たす場合に、前記作業機用油圧ポンプの吐出圧の増加又は前記作業機用油圧ポンプの入力トルクの増加に応じて、前記走行用油圧ポンプの押し退け容積又は前記走行用油圧モータの押し退け容積を制御して車速を制限することを特徴とする。
【発明の効果】
【００１０】
本発明によれば、リフトアームの上げ操作の誤判定に伴う車速の急な変化を抑制することができる。上記した以外の課題、構成及び効果は、以下の実施形態の説明により明らかにされる。
【図面の簡単な説明】
【００１１】
【図１】本発明の各実施形態に係るホイールローダの外観を示す側面図である。
【図２】ホイールローダによるＶシェープローディングについて説明する説明図である。
【図３】ホイールローダのライズラン操作を説明する説明図である。
【図４】第１実施形態に係るホイールローダの油圧回路及び電気回路を示す図である。
【図５】アクセルペダル踏込量と目標エンジン回転速度との関係を示すグラフである。
【図６】（ａ）はエンジン回転数とＨＳＴポンプの押し退け容積との関係を示すグラフ、（ｂ）はエンジン回転数とＨＳＴポンプの入力トルクとの関係を示すグラフ、（ｃ）はエンジン回転数とＨＳＴポンプの吐出流量との関係を示すグラフである。
【図７】速度段ごとの車速と駆動力との関係を示すグラフである。
【図８】リフトアームの上げ操作量とスプールの開口面積との関係を示すグラフである。
【図９】コントローラが有する機能を示す機能ブロック図である。
【図１０】コントローラで実行される処理の流れを示すフローチャートである。
【図１１】作業機用油圧ポンプの吐出圧とＨＳＴモータの最小押し退け容積の増加分との関係を示すグラフである。
【図１２】走行負荷圧力とＨＳＴモータの最小押し退け容積との関係を示すグラフである。
【図１３】ホイールローダの車速と牽引力との関係を示すグラフである。
【図１４】変形例に係るホイールローダの油圧回路及び電気回路を示す図である。
【図１５】第２実施形態に係るホイールローダの油圧回路及び電気回路を示す図である。
【発明を実施するための形態】
【００１２】
本発明の各実施形態に係るホイールローダの全体構成及びその動作について、図１〜３を参照して説明する。
【００１３】
図１は、本発明の各実施形態に係るホイールローダ１の外観を示す側面図である。
【００１４】
ホイールローダ１は、前フレーム１Ａ及び後フレーム１Ｂで構成される車体と、車体の前部に設けられたフロント作業機２と、を備えている。ホイールローダ１は、車体が中心付近で中折れすることにより操舵するアーティキュレート式の作業機械である。前フレーム１Ａと後フレーム１Ｂとは、センタジョイント１０によって左右方向に回動自在に連結されており、前フレーム１Ａが後フレーム１Ｂに対して左右方向に屈曲する。
【００１５】
前フレーム１Ａには、左右一対の前輪１１Ａ、及びフロント作業機２が設けられている。後フレーム１Ｂには、左右一対の後輪１１Ｂ、オペレータが搭乗する運転室１２、エンジンやコントローラ、冷却器等の各機器を収容する機械室１３、及び車体が傾倒しないようにバランスを保つためのカウンタウェイト１４が設けられている。なお、図１では、左右一対の前輪１１Ａ及び後輪１１Ｂのうち、左側の前輪１１Ａ及び後輪１１Ｂのみを示している。
【００１６】
フロント作業機２は、上下方向に回動可能なリフトアーム２１と、伸縮することによりリフトアーム２１を駆動させる一対のリフトアームシリンダ２２と、リフトアーム２１の先端部に取り付けられたバケット２３と、伸縮することによりバケット２３をリフトアーム２１に対して上下方向に回動させるバケットシリンダ２４と、リフトアーム２１に回動可能に連結されてバケット２３とバケットシリンダ２４とのリンク機構を構成するベルクランク２５と、一対のリフトアームシリンダ２２やバケットシリンダ２４へ圧油を導く複数の配管（不図示）と、を有している。なお、図１では、一対のリフトアームシリンダ２２のうち、左側に配置されたリフトアームシリンダ２２のみを破線で示している。
【００１７】
リフトアーム２１は、各リフトアームシリンダ２２のロッド２２０が伸びることにより上方向に回動し、各ロッド２２０が縮むことにより下方向に回動する。バケット２３は、バケットシリンダ２４のロッド２４０が伸びることによりリフトアーム２１に対して上方向に回動（チルト）し、ロッド２４０が縮むことによりリフトアーム２１に対して下方向に回動（ダンプ）する。
【００１８】
このホイールローダ１は、例えば露天掘り鉱山等において、土砂や鉱物等を掘削してダンプトラック等へ積み込む荷役作業を行うための作業機械である。次に、ホイールローダ１が掘削作業及び積み込み作業を行う際の方法の１つであるＶシェープローディングについて、図２及び図３を参照して説明する。
【００１９】
図２は、ホイールローダ１によるＶシェープローディングについて説明する説明図である。図３は、ホイールローダ１のライズラン操作を説明する説明図である。
【００２０】
まず、ホイールローダ１は、矢印Ｘ１で示すように、掘削対象である地山１００Ａに向かって前進し、バケット２３を地山１００Ａに突入させて掘削作業を行う。掘削作業が終わると、ホイールローダ１は、矢印Ｘ２で示すように、元の場所に一旦後退する。
【００２１】
次に、ホイールローダ１は、矢印Ｙ１で示すように、ダンプトラック１００Ｂに向かって前進し、ダンプトラック１００Ｂの手前で停止する。図２では、ダンプトラック１００Ｂの手前で停止している状態のホイールローダ１を破線で示している。
【００２２】
具体的には、図３に示すように、オペレータはアクセルペダルをいっぱいまで踏み込む（フルアクセル）と共に、リフトアーム２１の上げ操作を行う（図３において右側に示す状態）。次に、フルアクセルの状態のまま、さらにリフトアーム２１を上方向に上げる（図３において中央に示す状態）。そして、オペレータはブレーキを作動させてダンプトラック１００Ｂの手前で停止し、バケット２３をダンプさせてバケット２３内の積荷（土砂や鉱物等）をダンプトラック１００Ｂに積み込む。なお、図３に示すこの一連の操作を「ライズラン操作」という。
【００２３】
積み込み作業が終わると、ホイールローダ１は、図２の矢印Ｙ２で示すように、元の場所に後退する。このように、ホイールローダ１は、地山１００Ａとダンプトラック１００Ｂとの間でＶ形状に往復走行し、掘削作業及び積み込み作業を行う。
【００２４】
次に、ホイールローダ１の駆動システムについて、実施形態ごとに説明する。
【００２５】
＜第１実施形態＞
本発明の第１実施形態に係るホイールローダ１の駆動システムについて、図４〜１３を参照して説明する。
【００２６】
（走行駆動システムについて）
まず、ホイールローダ１の走行駆動システムについて、図４〜７を参照して説明する。
【００２７】
図４は、本実施形態に係るホイールローダ１の油圧回路及び電気回路を示す図である。図５は、アクセルペダル踏込量と目標エンジン回転速度との関係を示すグラフである。図６（ａ）は、エンジン３の回転数とＨＳＴポンプ４１の押し退け容積との関係を示すグラフ、図６（ｂ）は、エンジン３の回転数とＨＳＴポンプ４１の入力トルクとの関係を示すグラフ、図６（ｃ）は、エンジン３の回転数とＨＳＴポンプ４１の吐出流量との関係を示すグラフである。図７は、速度段毎の最高車速と駆動力との関係を示すグラフである。
【００２８】
本実施形態に係るホイールローダ１は、ＨＳＴ式走行駆動システムによって車体の走行が制御されており、図４に示すように、エンジン３と、エンジン３により駆動される走行用油圧ポンプとしてのＨＳＴポンプ４１と、ＨＳＴポンプ４１を制御するための圧油を補給するＨＳＴチャージポンプ４１Ａと、ＨＳＴポンプ４１と閉回路状に接続された走行用油圧モータとしてのＨＳＴモータ４２と、ＨＳＴポンプ４１及びＨＳＴモータ４２等の各機器を制御するコントローラ５と、を備えている。
【００２９】
ＨＳＴポンプ４１は、傾転角に応じて押し退け容積が制御される斜板式あるいは斜軸式の可変容量型の油圧ポンプである。傾転角は、コントローラ５から出力された指令信号にしたがってポンプ用レギュレータ４１０により調整される。
【００３０】
ＨＳＴモータ４２は、傾転角に応じて押し退け容積が制御される斜板式あるいは斜軸式の可変容量型の油圧モータであり、エンジン３の駆動力を車輪（前輪１１Ａ及び後輪１１Ｂ）に伝達する。傾転角は、ＨＳＴポンプ４１の場合と同様に、コントローラ５から出力された指令信号にしたがってモータ用レギュレータ４２０により調整される。
【００３１】
ＨＳＴ式走行駆動システムでは、まず、運転室１２に設けられたアクセルペダル６１をオペレータが踏み込むとエンジン３が回転し、エンジン３の駆動力によりＨＳＴポンプ４１が駆動する。そして、ＨＳＴポンプ４１から吐出した圧油によりＨＳＴモータ４２が回転し、ＨＳＴモータ４２からの出力トルクがアクスル１５を介して前輪１１Ａ及び後輪１１Ｂに伝達されることにより、ホイールローダ１が走行する。
【００３２】
具体的には、踏込量検出器６１０によって検出されたアクセルペダル６１の踏込量がコントローラ５に入力され、コントローラ５からエンジン３へ目標エンジン回転速度が指令信号として出力される。エンジン３は、この目標エンジン回転速度にしたがって回転数が制御される。図４に示すように、エンジン３の回転速度は、エンジン３の出力軸に設けられたエンジン回転速度センサ７１で検出する。
【００３３】
図５に示すように、アクセルペダル６１の踏込量と目標エンジン回転速度とは比例関係にあり、アクセルペダル６１の踏込量が大きくなると目標エンジン回転速度は速くなる。なお、図５において、アクセルペダル６１の踏込量０％〜２０あるいは３０％の範囲では、目標エンジン回転速度は、アクセルペダル６１の踏込量にかかわらず最低目標エンジン回転速度Ｖｍｉｎで一定となっている（不感帯）。この不感帯の範囲は、任意に設定変更可能である。
【００３４】
次に、エンジン３とＨＳＴポンプ４１との関係は、図６（ａ）〜（ｃ）に示す通りである。
【００３５】
図６（ａ）に示すように、エンジン回転速度がＶ１からＶ２までの間では、エンジン３の回転速度とＨＳＴポンプ４１の押し退け容積とは比例関係にあり、エンジン３の回転速度がＶ１からＶ２になるまで速くなるにつれて（Ｖ１＜Ｖ２）、押し退け容積は０から所定の値Ｑｃまで大きくなる。エンジン回転速度がＶ２以上では、ＨＳＴポンプ４１の押し退け容積は、エンジン回転速度にかかわらず所定の値Ｑｃで一定となる。
【００３６】
ＨＳＴポンプ４１の入力トルクは、押し退け容積に吐出圧力を積算したもの（入力トルク＝押し退け容積×吐出圧力）である。図６（ｂ）に示すように、エンジン回転速度がＶ１からＶ２までの間では、エンジン３の回転速度とＨＳＴポンプ４１の入力トルクとは比例関係にあり、エンジン３の回転速度がＶ１からＶ２になるまで速くなるにつれて、入力トルクは０から所定の値Ｔｃまで大きくなる。エンジン回転速度がＶ２以上では、ＨＳＴポンプ４１の入力トルクは、エンジン回転速度にかかわらず所定の値Ｔｃで一定となる。
【００３７】
図６（ｃ）に示すように、エンジン回転速度がＶ１からＶ２までの間では、ＨＳＴポンプ４１の吐出流量はエンジン３の回転速度の二乗に比例する。エンジン回転速度がＶ２以上では、エンジン３の回転速度とＨＳＴポンプ４１の吐出流量とは一次の比例関係にあり、エンジン３の回転速度が速くなるにつれて吐出流量は増える。
【００３８】
したがって、エンジン３の回転速度が速くなるとＨＳＴポンプ４１の吐出流量が増え、ＨＳＴポンプ４１からＨＳＴモータ４２に流入する圧油の流量が増えるため、ＨＳＴモータ４２の回転数が増加し、車速が速くなる。車速は、ＨＳＴモータ４２の回転速度としてモータ回転速度センサ７２で検出する（図４参照）。
【００３９】
このように、ＨＳＴ式走行駆動システムでは、ＨＳＴポンプ４１の吐出流量を連続的に増減させることにより車速を調整（変速）するため、ホイールローダ１は滑らかな発進、及び衝撃の少ない停止が可能となる。なお、必ずしもＨＳＴポンプ４１側において吐出流量を調整することで車速を制御する必要はなく、ＨＳＴモータ４２側において押し退け容積を調整することで車速を制御してもよい。
【００４０】
本実施形態では、最高車速を図７に示すような１〜４速度段に設定可能な速度段スイッチ６３（図４参照）が設けられている。図７に示すように、１速度段では最高車速がＳ１に、２速度段では最高車速がＳ２に、３速度段では最高車速がＳ３に、４速度段では最高車速がＳ４に、それぞれ設定されている。なお、Ｓ１、Ｓ２、Ｓ３及びＳ４の間の大小関係は、Ｓ１＜Ｓ２＜Ｓ３＜Ｓ４である。図７では、速度段毎の最高車速と駆動力との関係を示している。
【００４１】
また、１〜４速度段のうち、１速度段及び２速度段が「低速度段」に、３速度段及び４速度段が「中〜高速度段」に、それぞれ相当する。この「低速度段」は、積込作業においてホイールローダ１がダンプトラック１００Ｂに向かって走行する場合（図２において矢印Ｙ１で示す場合）に選択され、最高車速は例えば９〜１５ｋｍ／時に設定されている。
【００４２】
ホイールローダ１の進行方向、すなわち前進又は後進の選択は、運転室１２に設けられた前後進切換スイッチ６２（図４参照）によって行う。具体的には、オペレータが前後進切換スイッチ６２で前進の位置に切り換えると、前進を示す前後進切換信号がコントローラ５に出力され、コントローラ５はトランスミッションの前進クラッチを係合状態とするための指令信号をトランスミッションに出力する。トランスミッションが前進に係る指令信号を受信すると、前進クラッチが係合状態となり、車体の進行方向が前進に切り換わる。車体の後進についても、同様の仕組みによって切り換わる。
【００４３】
（フロント作業機２の駆動システムについて）
次に、フロント作業機２の駆動システムについて、図４及び図８を参照して説明する。
【００４４】
図８は、リフトアーム２１の上げ操作量とスプールの開口面積との関係を示すグラフである。
【００４５】
図４に示すように、ホイールローダ１は、エンジン３により駆動され、フロント作業機２に作動油を供給する作業機用油圧ポンプ４３と、当該作動油を貯蔵する作動油タンク４４と、リフトアーム２１を操作するためのリフトアーム操作レバー２１０と、バケット２３を操作するためのバケット操作レバー２３０と、作業機用油圧ポンプ４３からリフトアームシリンダ２２及びバケットシリンダ２４にそれぞれ供給される圧油の流れを制御するコントロールバルブ６４と、を備える。
【００４６】
作業機用油圧ポンプ４３は、本実施形態では、固定式の油圧ポンプが用いられている。作業機用油圧ポンプ４３からの吐出圧は圧力検出器７３で検出され、検出された吐出圧に係る信号がコントローラ５へ出力される。
【００４７】
オペレータが、例えばリフトアーム２１を上げる方向にリフトアーム操作レバー２１０を操作すると、その操作量に応じたパイロット圧が生成される。このパイロット圧はリフトアーム操作レバー２１０によるリフトアーム２１の上げ操作量に相当する。
【００４８】
そして、生成されたパイロット圧はコントロールバルブ６４に作用し、コントロールバルブ６４内のスプールが当該パイロット圧に応じてストロークする。作業機用油圧ポンプ４３から吐出された作動油はコントロールバルブ６４を介してリフトアームシリンダ２２に流入し、これによりリフトアームシリンダ２２のロッド２２０が伸長する。
【００４９】
図８に示すように、リフトアーム２１の上げ操作量［％］とコントロールバルブ６４のスプールの開口面積［％］とは比例関係にあり、リフトアーム２１の上げ操作量が増えるとスプールの開口面積も大きくなる。したがって、リフトアーム２１を上げる方向にリフトアーム操作レバー２１０を大きく操作すると、リフトアームシリンダ２２へ流入する作動油量が多くなり、ロッド２２０が速く伸長する。
【００５０】
なお、図８において、リフトアーム２１の上げ操作量０〜２０％の範囲では、スプールは開口せず、開口面積は０％である（不感帯）。また、リフトアーム２１の上げ操作量８５〜１００％の範囲では、スプールの開口面積は１００％で一定となっており、フルレバー操作状態が維持されている。なお、これらの設定範囲は、任意に変更可能である。
【００５１】
バケット２３の操作についても、リフトアーム２１の操作と同様に、バケット操作レバー２３０の操作量に応じて生成されたパイロット圧がコントロールバルブ６４に作用することによってコントロールバルブ６４のスプールの開口面積が制御され、バケットシリンダ２４へ流出入する作動油量が調整される。
【００５２】
なお、図４では図示を省略しているが、リフトアーム２１の上げ及び下げ操作量やバケット２３のチルト及びダンプ操作量を検出するための操作量（パイロット圧）検出器が、油圧回路の各管路上にそれぞれ設けられている。
【００５３】
（コントローラ５の構成及び機能）
次に、コントローラ５の構成及び機能について、図９〜１３を参照して説明する。
【００５４】
図９は、コントローラ５が有する機能を示す機能ブロック図である。図１０は、コントローラ５で実行される処理の流れを示すフローチャートである。図１１は、作業機用油圧ポンプ４３の吐出圧ＰａとＨＳＴモータ４２の最小押し退け容積の増加分Ｑｕｐとの関係を示すグラフである。図１２は、走行負荷圧力とＨＳＴモータ４２の最小押し退け容積Ｑｍｉｎとの関係を示すグラフである。図１３は、ホイールローダ１の車速と牽引力との関係を示すグラフである。
【００５５】
コントローラ５は、ＣＰＵ、ＲＡＭ、ＲＯＭ、ＨＤＤ、入力Ｉ／Ｆ、及び出力Ｉ／Ｆがバスを介して互いに接続されて構成される。そして、前後進切換スイッチ６２や速度段スイッチ６３といった各種の操作装置、及び圧力検出器７３や踏込量検出器６１０といった各種の検出器等（図４参照）が入力Ｉ／Ｆに接続され、ＨＳＴポンプ４１のポンプ用レギュレータ４１０やＨＳＴモータ４２のモータ用レギュレータ４２０等が出力Ｉ／Ｆに接続されている。
【００５６】
このようなハードウェア構成において、ＲＯＭやＨＤＤ若しくは光学ディスク等の記録媒体に格納された演算プログラム（ソフトウェア）をＣＰＵが読み出してＲＡＭ上に展開し、展開された演算プログラムを実行することにより、演算プログラムとハードウェアとが協働して、コントローラ５の機能を実現する。
【００５７】
なお、本実施形態では、コントローラ５の構成をソフトウェアとハードウェアとの組み合わせにより説明しているが、これに限らず、ホイールローダ１の側で実行される演算プログラムの機能を実現する集積回路を用いて構成してもよい。
【００５８】
図９に示すように、コントローラ５は、データ取得部５１と、記憶部５２と、判定部５３と、演算部５４と、指令信号出力部５５と、を含む。
【００５９】
データ取得部５１は、前後進切換スイッチ６２から出力された前進あるいは後進の前後進切換信号、踏込量検出器６１０で検出されたアクセルペダル６１の踏込量、速度段スイッチ６３から出力された速度段信号、及び圧力検出器７３で検出された作業機用油圧ポンプ４３の吐出圧Ｐａに関するデータをそれぞれ取得する。
【００６０】
記憶部５２は、積荷が入った状態のバケット２３をリフトアーム２１が持ち上げるのに必要となる圧力（作業機用油圧ポンプ４３の吐出圧）に関する第１閾値Ｐ１、第２閾値Ｐ２、及び第３閾値Ｐ３を記憶している。第１閾値Ｐ１は、リフトアーム２１が荷の入った状態のバケット２３を上方向に持ち上げる操作を開始する時の作業機用油圧ポンプ４３の吐出圧である。第２閾値Ｐ２は、当該リフトアーム２１が水平姿勢をとった時の作業機用油圧ポンプ４３の吐出圧である。第３閾値Ｐ３は、当該リフトアーム２１が上方向に上がりきった時の作業機用油圧ポンプ４３の吐出圧、すなわちリリーフ圧である。
【００６１】
判定部５３は、データ取得部５１で取得された前後進切換信号及びアクセルペダル６１の踏込量に基づいて、ホイールローダ１が前進走行中であるか否かを判定すると共に、データ取得部５１で取得された作業機用油圧ポンプ４３の吐出圧Ｐａに基づいて、リフトアーム２１が上げ動作中であるか否かを判定する。以下、ホイールローダ１の前進走行中におけるリフトアーム２１の上方向への動作を特定するための条件を「特定条件」とし、この「特定条件」を満たす場合とは、前述したライズラン操作を行っている場合である。
【００６２】
ここで、前後進切換スイッチ６２及び踏込量検出器６１０はそれぞれ、ホイールローダ１の車体の走行状態を検出する走行状態検出器の一態様である。なお、本実施形態では、前後進切換スイッチ６２から出力された前進を示す前後進切換信号、及び踏込量検出器６１０で検出されたアクセルペダル６１の踏込量によって車体の前進走行を判定しているが、これに限らず、車体に搭載された他の複数の走行状態検出器で検出された各走行状態を踏まえて総合的に車体の前進走行を判定してもよい。
【００６３】
さらに、判定部５３は、データ取得部５１で取得された作業機用油圧ポンプ４３の吐出圧Ｐａ、及び記憶部５２から読み出した第１〜第３閾値Ｐ１，Ｐ２，Ｐ３に基づいて、吐出圧Ｐａと第１〜第３閾値Ｐ１，Ｐ２，Ｐ３との大小関係をそれぞれ判定する。また、判定部５３は、データ取得部５１で取得された速度段信号に基づいて、低速度段が選択されているか否かを判定する。
【００６４】
演算部５４は、判定部５３で特定条件を満たすと判定された場合（ライズラン操作中）に、ＨＳＴモータ４２の最小押し退け容積Ｑｍｉｎを演算する。なお、演算部５４は、必ずしもＨＳＴモータ４２の最小押し退け容積Ｑｍｉｎを演算する必要はなく、代わりにＨＳＴポンプ４１の最大押し退け容積Ｑｍａｘを演算してもよい。
【００６５】
指令信号出力部５５は、演算部５４で演算されたＨＳＴモータ４２の最小押し退け容積Ｑｍｉｎにしたがった指令信号をモータ用レギュレータ４２０に出力する。なお、演算部５４でＨＳＴポンプ４１の最大押し退け容積Ｑｍａｘを演算した場合には、指令信号出力部５５は、ＨＳＴポンプ４１の最大押し退け容積Ｑｍａｘにしたがった指令信号をポンプ用レギュレータ４１０に出力する。
【００６６】
次に、コントローラ５内で実行される具体的な処理の流れについて説明する。
【００６７】
図１０に示すように、まず、データ取得部５１は、前後進切換スイッチ６２からの前後進切換信号、踏込量検出器６１０からのアクセルペダル６１の踏込量、及び圧力検出器７３からの作業機用油圧ポンプ４３の吐出圧Ｐａをそれぞれ取得する（ステップＳ５０１）。次に、判定部５３は、ステップＳ５０１において取得した前後進切換信号、及びアクセルペダル６１の踏込量に基づいて、ホイールローダ１が前進走行をしているか否かを判定する（ステップＳ５０２）。
【００６８】
ステップＳ５０２において前進走行中であると判定された場合（ステップＳ５０２／ＹＥＳ）、判定部５３は、ステップＳ５０１において取得した作業機用油圧ポンプ４３の吐出圧Ｐａと、記憶部５２から読み出した第１閾値Ｐ１との大小関係を判定する（ステップＳ５０３）。すなわち、ステップＳ５０３では、リフトアーム２１が上げ動作を行っているか否かを判定する。
【００６９】
ステップＳ５０３において吐出圧Ｐａが第１閾値Ｐ１以上であると判定された場合（Ｐａ≧Ｐ１）、すなわちリフトアーム２１が上げ動作を行っていると判定された場合（ステップＳ５０３／ＹＥＳ）、データ取得部５１は、速度段スイッチ６３から速度段信号を取得する（ステップＳ５０４）。
【００７０】
一方、ステップＳ５０２において前進走行中でない（停止中又は後進走行中である）と判定された場合（ステップＳ５０２／ＮＯ）、及びステップＳ５０３において吐出圧Ｐａが第１閾値Ｐ１よりも小さいと判定された場合（Ｐａ＜Ｐ１）、すなわちリフトアーム２１が上げ動作を行っていないと判定された場合（ステップＳ５０３／ＮＯ）、コントローラ５における処理が終了する。これらの場合、特定条件を満たさないからである。換言すれば、「特定条件を満たす場合」とは、少なくともステップＳ５０２においてＹＥＳであり、かつステップＳ５０３においてＹＥＳとなる場合である。
【００７１】
判定部５３は、ステップＳ５０４で取得した速度段信号に基づいて、速度段が低速度段であるか否かを判定する（ステップＳ５０５）。ステップＳ５０５において速度段が低速度段であると判定された場合（ステップＳ５０５／ＹＥＳ）、ステップＳ５０１で取得した吐出圧Ｐａと、記憶部５２から読み出した第１閾値Ｐ１及び第２閾値Ｐ２との大小関係を判定する。具体的には、判定部５３は、吐出圧Ｐａが第１閾値Ｐ１以上であり、かつ第２閾値Ｐ２よりも小さいか否かを判定する（ステップＳ５０６）。
【００７２】
ステップＳ５０６において吐出圧Ｐａが第１閾値Ｐ１以上であり、かつ第２閾値Ｐ２よりも小さい（Ｐ１≦Ｐａ＜Ｐ２）と判定された場合（ステップＳ５０６／ＹＥＳ）、演算部５４は、作業機用油圧ポンプ４３の吐出圧ＰａとＨＳＴモータ４２の最小押し退け容積の増加分Ｑｕｐとが比例関係になるように、ＨＳＴモータ４２の最小押し退け容積Ｑｍｉｎを演算する（ステップＳ５０７）。
【００７３】
そして、指令信号出力部５５は、ステップＳ５０７で演算されたＨＳＴモータ４２の最小押し退け容積Ｑｍｉｎにしたがった指令信号をモータ用レギュレータ４２０に出力する（ステップＳ５１０）。
【００７４】
図１１に示すように、リフトアーム２１の上げ操作開始時（第１閾値Ｐ１）からリフトアーム２１が水平姿勢をとる（第２閾値Ｐ２）までの間では、作業機用油圧ポンプ４３の吐出圧Ｐａが大きくなるにつれて、ＨＳＴモータ４２の最小押し退け容積の増加分Ｑｕｐが所定の値Ｑｕｐ１まで大きくなる（０＜Ｑｕｐ１）ように、コントローラ５は、ＨＳＴモータ４２の最小押し退け容積Ｑｍｉｎを大きくし、車速を制限（減速）する。
【００７５】
一方、ステップＳ５０６において吐出圧Ｐａが第１閾値Ｐ１以上であり、かつ第２閾値Ｐ２よりも小さい（Ｐ１≦Ｐａ＜Ｐ２）と判定されなかった場合（ステップＳ５０６／ＮＯ）、判定部５３は、さらに吐出圧Ｐａが第２閾値Ｐ２以上であり、かつ第３閾値Ｐ３よりも小さいか否かを判定する（ステップＳ５０８）。
【００７６】
ステップＳ５０８において吐出圧Ｐａが第２閾値Ｐ２以上であり、かつ第３閾値Ｐ３よりも小さい（Ｐ２≦Ｐａ＜Ｐ３）と判定された場合（ステップＳ５０８／ＹＥＳ）、演算部５４は、吐出圧Ｐａの増加に関係なく、ＨＳＴモータ４２の最小押し退け容積の増加分Ｑｕｐが所定の値Ｑｕｐ１に維持されるように、ＨＳＴモータ４２の最小押し退け容積Ｑｍｉｎを演算する（ステップＳ５０９）。
【００７７】
そして、指令信号出力部５５は、ステップＳ５０９で演算されたＨＳＴモータ４２の最小押し退け容積Ｑｍｉｎにしたがった指令信号をモータ用レギュレータ４２０に出力する（ステップＳ５１０）。
【００７８】
図１１に示すように、リフトアーム２１の水平姿勢時（第２閾値Ｐ２）からリフトアーム２１が上方向に上がりきる（第３閾値Ｐ３）までの間では、作業機用油圧ポンプ４３の吐出圧Ｐａの増加に関係なく、ＨＳＴモータ４２の最小押し退け容積の増加分Ｑｕｐが所定の値Ｑｕｐ１に維持されるように、コントローラ５は、ＨＳＴモータ４２の最小押し退け容積Ｑｍｉｎを大きくし、車速を制限（減速）する。
【００７９】
以上のように、コントローラ５において特定条件を満たす（ライズラン操作中）と判定された場合（少なくともステップＳ５０２／ＹＥＳかつステップＳ５０３／ＹＥＳ）、図１２に示すように、ＨＳＴモータ４２の最小押し退け容積ＱｍｉｎをＱｍｉｎ１からＱｍｉｎ２へと増やすことにより（Ｑｍｉｎ１→Ｑｍｉｎ２、Ｑｍｉｎ２＞Ｑｍｉｎ１）、図１３に示すように、ホイールローダ１の車速がＳｍａｘ１からＳｍａｘ２へと制限される（Ｓｍａｘ１→Ｓｍａｘ２、Ｓｍａｘ２＜Ｓｍａｘ１）。
【００８０】
したがって、特定条件を満たす場合、すなわちライズラン操作中において、リフトアーム２１の上げ動作速度に対して車速に制限をかけることにより、ホイールローダ１からダンプトラック１００Ｂまでの走行距離（図２において実線で示したホイールローダ１から破線で示したホイールローダ１までの距離）を、車速に制限をかけない場合と比べて短くすることができる。
【００８１】
なぜならば、リフトアーム２１の上げ動作速度に対して車速に制限をかけない場合にはリフトアーム２１が上方向に上がりきる前にホイールローダ１がダンプトラック１００Ｂの手前に到着してしまう可能性があり、この場合には走行距離を長くとる必要がある。しかしながら、コントローラ５でリフトアーム２１の上げ動作の速度に対して車速を制限（減速）することにより、短い走行距離でもリフトアーム２１が上がりきるからである。これにより、Ｖシェープローディングにおける作業のサイクルタイムが短縮して作業効率が良くなると共に、ホイールローダ１の燃費も向上する。
【００８２】
また、特定条件を満たすか否かを判定する際に、圧力検出器７３で検出された作業機用油圧ポンプ４３の吐出圧Ｐａを用いてリフトアーム２１の上げ操作の有無を判定しているため、リフトアームシリンダ２２のボトム圧を検出する場合と比べて、リフトアーム２１の上げ操作の誤判定を低減することが可能となり、車速の急な変化が抑制される。作業機用油圧ポンプ４３の吐出圧Ｐａを用いる場合は、リフトアームシリンダ２２のボトム圧を用いる場合と異なり、バケット２３内の荷や車体の振動等による圧力変動の影響が少ないからである。
【００８３】
さらに、本実施形態では、ライズラン操作の前半、すなわちリフトアーム２１の上げ操作開始時からリフトアーム２１が水平姿勢をとるまでの間は、作業機用油圧ポンプ４３の吐出圧Ｐａが大きくなるにつれて、ＨＳＴモータ４２の最小押し退け容積の増加分Ｑｕｐが徐々に大きくなるため、滑らかに車速が制限され、急な減速に伴う車体やオペレータへの振動や衝撃を抑制することができる。
【００８４】
ステップＳ５０８において吐出圧Ｐａが第２閾値Ｐ２以上であり、かつ第３閾値Ｐ３よりも小さい（Ｐ２≦Ｐａ＜Ｐ３）と判定されなかった場合（ステップＳ５０８／ＮＯ）、すなわち吐出圧Ｐａが第３閾値Ｐ３となり（Ｐａ＝Ｐ３）ライズラン操作が終了した場合、コントローラ５における処理が終了する。
【００８５】
ステップＳ５１０において指令信号出力部５５がモータ用レギュレータ４２０に指令信号を出力した後は、ステップＳ５０１に戻り、処理を繰り返す。
【００８６】
本実施形態では、ステップＳ５０４において速度段が低速度段でなかった場合（ステップＳ５０５／ＮＯ）、ステップＳ５０４に戻り、速度段が低速度段になるまでＨＳＴモータ４２の最小押し退け容積Ｑｍｉｎを制御して車速を制限する処理（ステップＳ５０６以降の処理）に進まないこととしている。ライズラン操作を行うにあたっては低速度段（特に、図７における２速度段）が適しており、低速度段が選択されている場合に限って車速に制限をかけることが望ましいからである。
【００８７】
なお、コントローラ５は、ステップＳ５０４及びステップＳ５０５を省略して、選択された速度段の種類に関係なくＨＳＴモータ４２の最小押し退け容積Ｑｍｉｎを制御してもよい。
【００８８】
また、本実施形態では、ホイールローダ１は、図９に示すように、調整装置６５を備えている。この調整装置６５は、作業機用油圧ポンプ４３の吐出圧Ｐａに対するＨＳＴモータ４２の最小押し退け容積Ｑｍｉｎの変化率をオペレータが任意に調整するものである。コントローラ５は、調整装置６５によって予め設定された変化率を記憶部５２に記憶しておき、記憶された変化率にしたがって演算部５４がＨＳＴモータ４２の最小押し退け容積Ｑｍｉｎを演算する。
【００８９】
例えば、車速の制限をあまりかけたくない場合には、図１１及び図１３において一点鎖線で示すように、作業機用油圧ポンプ４３の吐出圧Ｐａに対するＨＳＴモータ４２の最小押し退け容積の増加分Ｑｕｐの変化率が小さくなるように調整装置６５で設定する。反対に、車速の制限を大きくかけたい場合には、図１１及び図１３において二点鎖線で示すように、作業機用油圧ポンプ４３の吐出圧Ｐａに対するＨＳＴモータ４２の最小押し退け容積の増加分Ｑｕｐの変化率が大きくなるように調整装置６５で設定する。
【００９０】
このように、ホイールローダ１に調整装置６５を設けることにより、オペレータの好みや現場の環境等に合わせて、車速の制限を任意に調整することが可能となり、利便性が向上する。
【００９１】
なお、本実施形態では、ＨＳＴモータ４２の最小押し退け容積Ｑｍｉｎを大きくすることにより車速を制限していたが、これに限らず、ＨＳＴポンプ４１の最大押し退け容積を小さくすることにより車速を制限してもよい。
【００９２】
この場合、図１０に示すステップＳ５０７では、演算部５４は、作業機用油圧ポンプ４３の吐出圧Ｐａの増加につれてＨＳＴポンプ４１の最大押し退け容積の減少分Ｑｄｏｗｎが０から所定の値Ｑｄｏｗｎ１まで大きくなるように（０＜Ｑｄｏｗｎ１）、ＨＳＴポンプ４１の最大押し退け容積Ｑｍａｘを演算する。また、ステップＳ５０９では、演算部５４は、作業機用油圧ポンプ４３の吐出圧Ｐａの増加に関係なくＨＳＴポンプ４１の最大押し退け容積の減少分Ｑｄｏｗｎが所定の値Ｑｄｏｗｎ１に維持されるように、ＨＳＴポンプ４１の最大押し退け容積Ｑｍａｘを演算する。
【００９３】
（変形例）
次に、変形例について図１４を参照して説明する。図１４において、第１実施形態に係るホイールローダ１について説明したものと共通する構成要素については、同一の符号を付してその説明を省略する。
【００９４】
図１４は、変形例に係るホイールローダ１の油圧回路及び電気回路を示す図である。
【００９５】
本変形例に係るホイールローダ１は、ＨＭＴ式走行駆動システムによって車体の走行が制御されている。このＨＭＴ走行駆動システムでは、ＨＳＴポンプ４１及びＨＳＴモータ４２が閉回路状に接続されたＨＳＴ４と、機械伝動部８０と、を備えており、エンジン３の駆動力が遊星歯車機構８１を経由してＨＳＴ４及び機械伝動部８０へパラレルに伝達される。
【００９６】
遊星歯車機構８１は、入力軸８２に固定されたサンギア８１１と、サンギア８１１の外周に歯合された複数のプラネタリギア８１２と、複数のプラネタリギア８１２をそれぞれ軸支する遊星キャリア８１３と、複数のプラネタリギア８１２の外周に歯合されたリングギア８１４と、リングギア８１４の外周に歯合されたポンプ入力ギア８１５と、を有している。
【００９７】
エンジン３の出力トルクは、前進用油圧クラッチ８３Ａ、後進用油圧クラッチ８３Ｂ、及びクラッチシャフト８３Ｃを有するクラッチ装置８３を経由して入力軸８２に伝達され、入力軸８２から遊星歯車機構８１に伝達される。
【００９８】
ここで、遊星歯車機構８１の遊星キャリア８１３は出力軸８４に固定されており、これにより、エンジン３の駆動力が機械伝動部８０に伝達される。機械伝動部８０に伝達されたエンジン３の駆動力は、出力軸８４に接続されたプロペラシャフト８５を介してアクスル１５に伝達され、これにより前輪１１Ａ及び後輪１１Ｂが駆動される。
【００９９】
また、遊星歯車機構８１のポンプ入力ギア８１５はＨＳＴポンプ４１の回転軸に固定されており、エンジン３の駆動力がＨＳＴ４にも伝達される。ＨＳＴモータ４２の回転軸には、モータ出力ギア８６が固定されており、モータ出力ギア８６は、出力軸８４のギア８４０に歯合している。したがって、ＨＳＴ４に伝達されたエンジン３の駆動力についても、出力軸８４に接続されたプロペラシャフト８５を介してアクスル１５に伝達され、これにより、前輪１１Ａ及び後輪１１Ｂが駆動される。
【０１００】
このように、ＨＳＴ４と機械伝動部８０とを組み合わせて変速機を構成することにより、第１実施形態で説明したＨＳＴ式走行駆動システムよりも伝達効率を高めることができる。なお、図１４では、遊星歯車機構８１からの出力をＨＳＴ４へ入力する入力分割型のＨＭＴ式走行駆動システムを示しているが、これに限らず、ＨＳＴ４からの出力を遊星歯車機構８１に入力する出力分割型のＨＭＴ式走行駆動システムであってもよい。
【０１０１】
本変形例においても、第１実施形態と同様に、コントローラ５は、特定条件を満たす場合に、作業機用油圧ポンプ４３の吐出圧Ｐａの増加に応じて、ＨＳＴモータ４２の最小押し退け容積Ｑｍｉｎを大きくすることにより車速を制限する。これにより、第１実施形態で記載した作用及び効果と同様の作用及び効果を得ることができる。
【０１０２】
＜第２実施形態＞
次に、第２実施形態に係るホイールローダ１について、図１５を参照して説明する。図１５において、第１実施形態及び変形例に係るホイールローダ１について説明したものと共通する構成要素については、同一の符号を付してその説明を省略する。
【０１０３】
図１５は、第２実施形態に係るホイールローダ１の油圧回路及び電気回路を示す図である。
【０１０４】
本実施形態に係るホイールローダ１は、ＥＭＴ式走行駆動システムによって車体の走行が制御されている。このＥＭＴ走行駆動システムでは、前述したＨＭＴ走行駆動システムにおいて、ＨＳＴポンプ４１に代えて発電機９１が、ＨＳＴモータ４２に代えて電動モータ９２が、それぞれ設けられている。
【０１０５】
本実施形態では、コントローラ５は、特定条件を満たす場合に、作業機用油圧ポンプ４３の吐出圧Ｐａの増加に応じて、電動モータ９２の回転数を減少させて車速を制限する。なお、電動モータ９２の回転数は、電動モータ９２への電流値又は電圧値を変化させることにより制御する。
【０１０６】
具体的には、図１０に示すステップ５０７では、演算部５４は、作業機用油圧ポンプ４３の吐出圧Ｐａの増加につれて電動モータ９２の回転数の減少分が所定の値まで大きくなるように、電動モータ９２への電流値又は電圧値を演算する。また、図１０に示すステップＳ５０９では、演算部５４は、作業機用油圧ポンプ４３の吐出圧Ｐａの増加にかかわりなく、電動モータ９２の回転数の減少分が当該所定の値に維持されるように、電動モータ９２への電流値又は電圧値を演算する。
【０１０７】
すなわち、コントローラ５は、作業機用油圧ポンプ４３の吐出圧Ｐａと電動モータ９２の回転数の減少分との間に、図１１に示す関係が成立するように、電動モータ９２の回転数を制限する。これにより、第１実施形態で記載した作用及び効果と同様の作用及び効果を得ることができる。
【０１０８】
以上、本発明の実施形態及び変形例について説明した。なお、本発明は上記した実施形態や変形例に限定されるものではなく、様々な他の変形例が含まれる。例えば、上記した実施形態及び変形例は本発明を分かりやすく説明するために詳細に説明したものであり、必ずしも説明した全ての構成を備えるものに限定されるものではない。また、本実施形態の構成の一部を他の実施形態の構成に置き換えることが可能であり、また、本実施形態の構成に他の実施形態の構成を加えることも可能である。またさらに、本実施形態の構成の一部について、他の構成の追加・削除・置換をすることが可能である。
【０１０９】
例えば、上記各実施形態及び変形例では、コントローラ５は、特定条件を満たす場合に、作業機用油圧ポンプ４３の吐出圧Ｐａの増加に応じて車速を制限していたが、これに限らず、作業機用油圧ポンプ４３の入力トルクの増加に応じて車速を制限してもよい。
【０１１０】
また、上記各実施形態及び変形例では、コントローラ５は、圧力検出器７３で検出した作業機用油圧ポンプ４３の吐出圧Ｐａ（作業機用油圧ポンプ４３の入力トルク）に基づいて車速を制限していたが、これに限らず、所定の設定時間内の平均吐出圧Ｐａｖ（平均入力トルク）に基づいて車速を制限してもよい。この場合、車体に瞬間的に大きな振動や衝突等が発生して検出値が変動しても、平均値を用いることにより安定した車速制限を行うことが可能となる。
【符号の説明】
【０１１１】
１：ホイールローダ
２：フロント作業機
３：エンジン
５：コントローラ
１１Ａ：前輪
１１Ｂ：後輪
２１：リフトアーム
４１：ＨＳＴポンプ（走行用油圧ポンプ）
４２：ＨＳＴモータ（走行用油圧モータ）
４３：作業機用油圧ポンプ
６５：調整装置
７３：圧力検出器
９１：発電機
９２：電動モータ
１００Ｂ：ダンプトラック
【図１】
0006683883.tif 000002
【図２】
0006683883.tif 000003
【図３】
0006683883.tif 000004
【図４】
0006683883.tif 000005
【図５】
0006683883.tif 000006
【図６】
0006683883.tif 000007
【図７】
0006683883.tif 000008
【図８】
0006683883.tif 000009
【図９】
0006683883.tif 000010
【図１０】
0006683883.tif 000011
【図１１】
0006683883.tif 000012
【図１２】
0006683883.tif 000013
【図１３】
0006683883.tif 000014
【図１４】
0006683883.tif 000015
【図１５】
0006683883.tif 000016